(57)【特許請求の範囲】
【請求項１】
ユーザ機器による測定レポートを開始する方法であって、
前記ユーザ機器を接続モードにおいて不連続動作に移す（placing）ことと、
サービングセルの品質が、パラメータのしきい値を下回って低下した際に、前記サービングセルによって用いられる現在の周波数の連続的な測定であって物理層からサンプルを獲得する連続的な測定を、前記ユーザ機器によって開始することと、
前記連続的な測定に基づいて、前記現在の周波数の測定評価を作成することと、
測定ギャップの割当てのために前記ユーザ機器に関連するネットワークに前記測定評価を送信することと、
を備える方法。
【請求項２】
前記測定評価に基づいて、ハンドオフをトリガすることをさらに備える請求項１に記載の方法。
【請求項３】
周波数間測定または無線アクセス技術間測定を測定することをさらに備える請求項１に記載の方法。
【請求項４】
ネットワークに送信するための測定レポートを生成することをさらに備える請求項１に記載の方法。
【請求項５】
前記ユーザ機器によって前記周波数間または前記無線アクセス技術間測定を自律的に開始することをさらに備える請求項３に記載の方法。
【請求項６】
セル品質が、しきい値を下回って低下した際に、周波数間測定または前記無線アクセス技術間測定を開始することをさらに備える請求項５に記載の方法。
【請求項７】
前記移す動作を促進するようにスリープモードコントローラを実施することをさらに備える請求項１に記載の方法。
【請求項８】
前記移す動作は、チャネル品質指標属性に基づく請求項１に記載の方法。
【請求項９】
ユーザ機器を接続モードにおいて不連続動作に切り換え、
サービングセルの品質が、パラメータのしきい値を下回って低下した際に、前記サービングセルによって用いられる現在の周波数の連続的な測定であって物理層からサンプルを獲得する連続的な測定を前記ユーザ機器によって開始し、
前記連続的な測定に基づいて、前記現在の周波数の測定評価を作成し、
ネットワークに前記測定評価を送信することを介して、測定ギャップの生成を促進する、
ように構成された無線通信装置。
【請求項１０】
前記少なくとも１つのプロセッサは、周波数間測定または無線アクセス技術間測定を測定するようにさらに構成される請求項９に記載の無線通信装置。
【請求項１１】
前記少なくとも１つのプロセッサは、チャネル品質指標属性に基づいて、前記不連続動作に切り換わるようにさらに構成される請求項９に記載の無線通信装置。
【請求項１２】
前記少なくとも１つのプロセッサは、前記測定評価に基づいて、ハンドオフをトリガするようにさらに構成される請求項９に記載の無線通信装置。
【請求項１３】
前記少なくとも１つのプロセッサは、前記ネットワークに送信するための測定レポートを生成するようにさらに構成される請求項９に記載の無線通信装置。
【請求項１４】
ユーザ機器を接続モードにおいて不連続動作に切り換えるための手段と、
サービングセルの品質が、所定のしきい値パラメータを下回って低下した際に、前記サービングセルによって用いられる現在の周波数の連続的な測定であって物理層からサンプルを獲得する連続的な測定を、前記ユーザ機器によって開始するための手段と、
前記連続的な測定に基づいて、前記現在の周波数の測定評価を作成するための手段と、
測定ギャップの割当てのために前記ユーザ機器に関連するネットワークに前記測定評価を送信するための手段と、
を備える不連続受信モードユーザ機器の測定動作を管理するための無線通信装置。
【請求項１５】
周波数間測定または無線アクセス技術間測定を測定するための手段をさらに備える請求項１４に記載の無線通信装置。
【請求項１６】
少なくとも１つのコンピュータに、ユーザ機器を接続モードにおいて不連続動作に移させるためのコードと、
サービングセルの品質が、パラメータのしきい値を下回って低下した際に、前記サービングセルによって用いられる現在の周波数の連続的な測定であって物理層からサンプルを獲得する連続的な測定を、前記ユーザ機器によって開始するためのコードと、
前記連続的な測定に基づいて、前記現在の周波数の測定評価を作成するためのコードと、
測定ギャップの割当てのために前記ユーザ機器に関連するネットワークに前記測定評価を送信するためのコードと、
を備えるコンピュータ可読記録媒体。
【請求項１７】
前記測定評価に基づいて、ハンドオフをトリガするためのコードをさらに備える請求項１６に記載のコンピュータ可読記録媒体。
【請求項１８】
前記ネットワークに送信するための測定レポートを生成するためのコードをさらに備える請求項１６に記載のコンピュータ可読記録媒体。
【請求項１９】
ユーザ機器に関連するサービングセルの品質が、所定のしきい値を下回って低下した際に、ネットワークによって、該ユーザ機器の接続モードにおいて不連続動作において生成される測定レポートを受信することと、
前記ユーザ機器にギャップ割当てを前記ネットワークによって供給して、該供給によって周波数内測定を促進することと、
を備える不連続受信モードユーザ機器の測定動作を管理する方法。
【請求項２０】
前記所定のしきい値は、前記ネットワークによって構成されたS_Intrasearchパラメータである請求項１９に記載の方法。
【請求項２１】
前記測定レポートは、前記ユーザ機器による連続的な測定に基づいて生成される請求項１９に記載の方法。
【請求項２２】
前記ユーザ機器は、前記不連続動作に入ったり、該動作から抜けたりするように切り換わるスリープモードコントローラを備える請求項１９に記載の方法。
【請求項２３】
前記ユーザ機器は、チャネル品質指標属性に基づいて、前記不連続動作を切り換える請求項１９に記載の方法。
【請求項２４】
ユーザ機器に関連するサービングセルの品質が、所定のしきい値を下回って低下した際に、ネットワークによって、接続モードにおいて不連続動作において前記ユーザ機器によって生成される測定レポートを受信し、
前記ユーザ機器にギャップ割当てを前記ネットワークによって供給して、該供給によって周波数内測定を促進する、
ように構成された少なくとも１つのプロセッサ、
を備える無線通信装置。
【請求項２５】
前記所定のしきい値は、前記ネットワークによって設定される請求項２４に記載の無線通信装置。
【請求項２６】
前記測定レポートは、前記ユーザ機器を介して連続的な測定によって形成される請求項２４に記載の無線通信装置。
【請求項２７】
ユーザ機器に関連するサービングセルの品質が、所定のしきい値を下回って低下した際に、ネットワークによって、接続モードにおいて不連続動作において前記ユーザ機器によって生成される測定レポートを受信するためのコードと、
前記ユーザ機器にギャップ割当てを前記ネットワークによって供給して、該供給によって周波数内測定を可能にするためのコードと、
を備えるコンピュータ可読記録媒体。
【請求項２８】
前記所定のしきい値は、前記ネットワークによって設定されたS_Intrasearchパラメータである請求項２７に記載のコンピュータ可読記録媒体。
【請求項２９】
前記ユーザ機器は、スリープモードコントローラを介して前記不連続動作に切り換え可能である請求項２７に記載のコンピュータ可読記録媒体。
【発明の詳細な説明】
【技術分野】
【０００１】
（米国特許法第１１９条の下における優先権の主張）
本特許出願は、本特許出願の譲受人に譲渡され、参照により本明細書に明確に組み込まれている、２００７年１０月５に出願された「MEASUREMENT BEHAVIOUR OF DRX MODE UE」という名称の米国特許仮出願第６０／９７７，８６０号の優先権を主張するものである。
【０００２】
以下の説明は、概して、無線通信に関し、より詳細には、無線通信システムにおける通信デバイスによる電力消費を低減することを促進する（facilitate）ように様々なスリープモードを利用することに関する。
【背景技術】
【０００３】
無線通信システムは、様々なタイプの通信を提供するように広く展開されており、例えば、音声および／またはデータが、そのような無線通信システムを介して提供されることが可能である。通常の無線通信システム、または無線通信網は、共有される１つまたは複数のリソース（例えば、帯域幅、送信電力など）へのアクセスを複数のユーザに提供することができる。例えば、システムは、ＦＤＭ（周波数分割多重化（Frequency Division Multiplexing））、ＴＤＭ（時分割多重化（Time Division Multiplexing））、ＣＤＭ（符号分割多重化（Code Division Multiplexing））、３ＧＰＰ（Third Generation Partnership Project）ＬＴＥ（Long-Term Evolution）システム、ＯＦＤＭ（直交周波数分割多重化（Orthogonal Frequency Division Multiplexing））、およびその他などの様々な複数のアクセス技術を使用することが可能である。
【０００４】
一般に、無線多元接続通信システムは、複数の移動デバイスの通信を同時にサポートすることができる。各移動デバイスは、順方向リンク上の伝送、および逆方向リンク上の伝送を介して１つまたは複数の基地局と通信することができる。順方向リンク（またはダウンリンク）とは、基地局から移動デバイスに至る通信リンクを指し、逆方向リンク（またはアップリンク）とは、移動デバイスから基地局に至る通信リンクを指す。この通信リンクは、単一入力単一出力システムを介して、多入力信号出力システムを介して、またはＭＩＭＯ（多入力多出力）システムを介して確立されることが可能である。
【０００５】
例えば、ＭＩＭＯシステムは、データ伝送のために複数（ＮＴ個）の送信アンテナと、複数（ＮＲ個）の受信アンテナとを使用することが可能である。ＮＴ個の送信アンテナと、ＮＲ個の受信アンテナとによって形成されるＭＩＭＯチャネルは、空間チャネルとも呼ばれる、独立したＮＳ個のチャネルに分解されることが可能であり、ただし、ＮＳ≦ｍｉｎ｛ＮＴ，ＮＲ｝である。独立したＮＳ個のチャネルのそれぞれは、次元に対応する。ＭＩＭＯシステムは、複数の送信アンテナ、および複数の受信アンテナによってつくられるさらなる次元が利用される場合、向上した性能（例えば、より高いスループット、および／またはより高い信頼性）をもたらすことができる。
【０００６】
ＭＩＭＯシステムは、ＴＤＤ（時分割複信）システムおよびＦＤＤ（周波数分割複信）システムをサポートすることができる。ＴＤＤシステムにおいて、順方向リンク伝送および逆方向リンク伝送は、相互性の原理が逆方向リンクチャネルから順方向リンクチャネルの推定を可能にするように、同一の周波数領域上で行われることが可能である。このことは、複数のアンテナがアクセスポイントにおいて利用可能な場合に、アクセスポイントが順方向リンク上の送信ビームフォーミング利得を抽出することを可能にすることができる。
【０００７】
無線通信システムは、カバレッジエリアを提供する１つまたは複数の基地局を、しばしば、使用する。通常の基地局は、ブロードキャストサービス、マルチキャストサービス、および／またはユニキャストサービスのために複数のデータストリームを送信することができ、データストリームは、或る移動デバイスが独立で受信し得るデータのストリームであることが可能である。そのような基地局のカバレッジエリア内の移動デバイスを使用して、複合ストリームによって伝送される１つのデータストリーム、複数のデータストリーム、またはすべてのデータストリームが受信されることが可能である。同様に、移動デバイスは、基地局、または別の移動デバイスにデータを送信することもできる。
【０００８】
通常、移動デバイスは、オンにされている間、ならびに基地局、および／またはその基地局を介する他の移動デバイスとの通信の期間中に電力（例えば、バッテリ電源）を利用する。移動デバイスによって消費される電力の量は、移動デバイスの構成、および／または移動デバイスによって実行されている機能（例えば、動作）に部分的に依存する可能性がある。移動デバイスによって利用される電力の量を低減することは、そのような低減が、より長いバッテリ寿命、ならびに移動デバイスおよびバッテリを使用する費用の低下をもたらすことが可能であるので、望ましい。それでも、「スリープ」モード中、ＵＥに関する測定動作（behavior）は、明確ではなく、さらにＵＥの、接続モードにおける測定動作との相互作用は、明確に定義されていない。
【発明の概要】
【０００９】
以下に、開示される態様のいくつかの態様の基本的な理解をもたらすため、簡略化された概要を提示する。この概要は、広範な概観ではなく、重要な要素、もしくは不可欠な要素を特定することも、そのような態様の範囲を線引きすることも意図していない。この概要の目的は、後段で提示される、より詳細な説明の前置きとして、説明される特徴のいくつかの概念を簡略化された形態で提示することである。
【００１０】
１つまたは複数の態様、およびそのような態様の対応する開示によれば、接続モードにおいて不連続動作（例えば、ＤＲＸ）をしている間のＵＥ（ユーザ機器）による測定を開始するフレームワークを提供することに関連して、様々な態様が説明される。本発明の様々な態様は、サービングセルの品質が、ネットワークによって構成された所定の品質しきい値を表す、S_Intrasearchパラメータというしきい値を下回って低下した際に、ＵＥが、測定状態に自律的に（例えば、ネットワークからの命令とは無関係に）入ること、およびネットワークに関する測定レポートを生成することを可能にする。ＵＥが、そのような測定状態に入ると、ＵＥは、連続的な測定にとりかかり、物理層から適切なサンプルを獲得して、現在の周波数に関する、ＵＥによる測定評価を生成する。その後、ＵＥは、現在の周波数に関するそのような測定レポートをネットワークに送信することができ、さらに、このため、ネットワークが、次いで可能なハンドオーバコマンドに測定ギャップを割り当てる、または測定ギャップを有効にするトリガの役割をすることができる。
【００１１】
したがって、現在の周波数の測定レポートをそのように送信することは、１）ネットワークに関してハンドオーバを実行し、さらに２）他の周波数または他の無線アクセス網の測定に関する測定ギャップをトリガするという二重の機能を果たすことができる。（例えば、ＵＥが、他の周波数を測定するのに、ＵＥは、測定ギャップおよびギャップ割当てを要する。）一般に、ＵＥが、ＤＲＸモードにある場合、測定サンプルを獲得する機会は、限られたままであり、このため、ＵＥは、適切で、正確な測定評価（例えば、現在のセル、セル内周波数、セル間周波数に関する）を容易に実行することができない。このため、一態様では、本発明は、ＤＲＸモードにおけるＵＥの動作を活用し、測定ギャップの割当てを減らす。さらに、ＵＥは、ＵＥのＤＲＸパターンからの「ナチュラルギャップ」を使用することによって、周波数間測定および／またはＲＡＴ間測定を自律的に実行することを、そのような測定を実行するのに適切である場合に、可能にされる。さらに、様々な態様は、ネットワークが、ＵＥに関して、或る特定の測定（例えば、周波数間、周波数内、サービングセクタの現在の周波数など）をトリガするようにＵＥにより使用されることが可能な測定イベントと関係する情報、ＵＥによって獲得される測定のタイプと関係する情報、およびネットワークへの生成されたレポートの伝送と関係する情報を指定することを可能にする。
【００１２】
関連する方法によれば、最初、ＵＥは、ＤＲＸモードにあり、ＵＥ測定は、限られており、サービングセル品質だけを測定し、同一の周波数における他のノードは測定しない。その後、ＵＥは、サービングセルの無線品質が、S_Intrasearchパラメータという所定のパラメータ（例えば、ネットワークによって構成された所定のパラメータ）を下回って低下していることを検出する。その後、ＵＥは、周波数間測定（例えば、物理層からの測定）の連続的な測定にとりかかる。その後、これらの測定を完了すると、測定レポートが、生成され、ＵＥによってネットワークに送信され得る。そのようなレポートに基づき、ネットワークは、ＵＥが、他の周波数内測定を獲得することができるように、ＵＥにギャップ割当てを供給することができる。
【００１３】
別の態様は、無線通信装置に関する。この無線通信装置は、ＵＥが、ＤＲＸモードにある場合に、サービングセルの無線品質が、S_Intrasearchパラメータという所定のパラメータ（例えば、ネットワークによって構成された所定のパラメータ）を下回って低下していることを検出するように構成された少なくとも１つのプロセッサを含むことが可能である。この少なくとも１つのプロセッサは、周波数間測定（例えば、物理層からの測定）の連続的な測定を可能にするようにさらに構成されることが可能である。
【００１４】
さらに別の態様は、ＵＥが、ＤＲＸモードにある場合に、サービングセルの無線品質が、S_Intrasearchパラメータという所定のパラメータを下回って低下していることを少なくとも１つのコンピュータに検出させるためのコードを有するコンピュータ可読媒体を有することが可能な、コンピュータプログラム製品に関する。そのようなコードは、ＵＥによって他の周波数内測定を獲得するギャップ割当てを、その少なくとも１つのコンピュータにさらに受け取らせることが可能である。
【００１５】
さらなる態様によれば、ネットワークは、所定の測定イベント判定基準がトリガされた（例えば、サービングセル品質が、しきい値を下回って低下した場合、周波数間測定および／またはＲＡＴ（無線アクセス技術（Radio Access Technology））間測定を自動的に開始するようにＵＥを事前構成することができる。そのようにすることにより、測定レポートおよびギャップ割当ての転送の要件が緩和される。このため、周波数間測定、ＲＡＴ間測定、および周波数内測定を開始することに関する完全なＵＥ自律性が、供給される。
【００１６】
以上、および関連する目的を達するのに、１つまたは複数の実施形態は、後段で完全に説明され、特許請求の範囲において特に指摘される特徴を備える。以下の説明、および添付の図面は、１つまたは複数の実施形態のある例示的な態様を詳細に示す。しかし、これらの態様は、様々な実施形態の原理が使用され得る様々な仕方のいくつかを示すに過ぎず、説明される実施形態は、そのようなすべての態様、およびそれらの均等物を含むことを意図している。
【図面の簡単な説明】
【００１７】
【図１】様々な態様によるＵＥ（ユーザ機器）の測定動作を管理することに関する例示的なブロック図。
【図２】無線通信環境内の移動デバイスに関連する測定レポートの生成を促進することができる例示的なシステムを示す図。
【図３】他の態様による測定レポートの生成を促進することができるさらなるシステムを示す図。
【図４】一態様による不連続動作（ＤＲＸ）をしているＵＥによる測定レポートを生成する方法を示す図。
【図５】ＤＲＸモードにあるＵＥによって生成された測定レポートを使用するさらなる方法を示す図。
【図６】本発明の一態様による無線通信を示す図。
【図７】さらなる態様によるさらなる無線通信を示す図。
【図８】１つまたは複数の態様による多元接続無線通信システムを示す図。
【図９】さらなる態様によるＵＥの測定動作を管理する通信システムを示す図。
【図１０】さらなる態様によるＤＲＸモード測定動作を管理するためのさらなる通信システムを示す図。
【図１１】本発明の一態様によるＤＲＸモードにあるＵＥによるレポートの生成を促進するシステムを示す図。
【発明を実施するための形態】
【００１８】
次に、様々な態様が、図面を参照して説明される。以下の説明において、説明のため、１つまたは複数の態様の徹底的な理解をもたらすために多数の特定の詳細が、示される。しかし、そのような態様は、これらの特定の詳細なしに実施されてもよいことが明白であり得る。
【００１９】
本出願で使用される「コンポーネント」、「モジュール」、「システム」などの用語は、ハードウェア、ファームウェア、ハードウェアとソフトウェアの組合せ、ソフトウェア、または実行中のソフトウェアなどの、ただし、以上には限定されない、コンピュータ関連のエンティティを含むことを意図している。例えば、コンポーネントは、プロセッサ上で実行されているプロセス、プロセッサ、オブジェクト、実行可能ファイル、実行のスレッド、プログラム、および／またはコンピュータであることが可能であるが、以上には限定されない。例として、コンピューティングデバイス上で実行されているアプリケーションと、そのコンピューティングデバイスがともに、コンポーネントであることが可能である。１つまたは複数のコンポーネントが、プロセス内、および／または実行のスレッド内に存在することが可能であり、さらにコンポーネントは、１つのコンピュータ上に局在すること、および／または２つ以上のコンピュータの間に分散されていることが可能である。さらに、これらのコンポーネントは、様々なデータ構造が格納されている様々なコンピュータ可読媒体から実行されることが可能である。これらのコンポーネントは、信号によって、１つのコンポーネントからのデータが、ローカルシステムにおける別のコンポーネントと、分散システムにおける別のコンポーネントと、かつ／またはインターネットなどのネットワークを介して他のシステムと対話するなど、１つまたは複数のデータパケットを有する信号によるなどして、ローカルプロセスおよび／または遠隔プロセスを介して通信することが可能である。
【００２０】
さらに、様々な態様が、有線端末装置または無線端末装置であることが可能な端末装置に関連して本明細書で説明される。端末装置は、システム、デバイス、加入者ユニット、加入者局、移動局、移動体、移動デバイス、遠隔局、遠隔端末装置、アクセス端末装置、ユーザ端末装置、端末装置、通信デバイス、ユーザエージェント、ユーザデバイス、またはＵＥ（ユーザ機器）と呼ばれることも可能である。無線端末装置は、セルラー電話機、衛星電話機、コードレス電話機、ＳＩＰ（セッション開始プロトコル（Session Initiation Protocol））電話機、ＷＬＬ（無線ローカルループ）局、ＰＤＡ（パーソナルディジタルアシスタント）、無線接続能力を有するハンドヘルドデバイス、コンピューティングデバイス、あるいは無線モデムに接続された他の処理デバイスであることが可能である。さらに、様々な態様が、基地局に関連して本明細書で説明される。基地局は、無線端末装置と通信するために利用されることが可能であり、アクセスポイント、ＮｏｄｅＢ、または他の何らかの用語で呼ばれることも可能である。
【００２１】
さらに、「または」という語は、排他的な「または」ではなく、包含的な「または」を意味することを意図している。つまり、特に明記しない限り、または文脈から明らかでない限り、「Ｘは、ＡまたはＢを使用する」という句は、自然な包含的置換のいずれも意味することを意図している。つまり、「Ｘは、ＡまたはＢを使用する」という句は、以下の場合、すなわち、Ｘは、Ａを使用する、Ｘは、Ｂを使用する、またはＸは、ＡとＢの両方を使用する、のいずれによっても満たされる。さらに、本出願、および添付の特許請求の範囲において使用される「或る」（「ａ」および「ａｎ」）という冠詞は、特に明記しない限り、または単数形に向けられることが文脈から明らかでない限り、「１つまたは複数」を意味するものと一般に解釈されるべきである。
【００２２】
本明細書で説明される技術は、ＣＤＭＡシステム、ＴＤＭＡシステム、ＦＤＭＡシステム、ＯＦＤＭＡシステム、ＳＣ−ＦＤＭＡシステム、およびその他のシステムなどの様々な無線通信システムのために使用されることが可能である。「システム」という用語と「ネットワーク」という用語は、しばしば、互換的に使用される。ＣＤＭＡシステムは、ＵＴＲＡ（ユニバーサル地上無線アクセス（Universal Terrestrial Radio Access））、ｃｄｍａ２０００などの無線技術を実施することが可能である。ＵＴＲＡは、Ｗ−ＣＤＭＡ（広帯域ＣＤＭＡ（Wideband-CDMA））、およびＣＤＭＡの他の変種を含む。さらに、ｃｄｍａ２０００は、ＩＳ−２０００標準、ＩＳ−９５標準、およびＩＳ−８５６標準を範囲に含む。ＴＤＭＡシステムは、ＧＳＭ（Global System for Mobile Communications）などの無線技術を実施することができる。ＯＦＤＭＡシステムは、Ｅ−ＵＴＲＡ（Evolved UTRA）、ＵＭＢ（Utra Mobile Broadband）、ＩＥＥＥ８０２．１１（Ｗｉ−Ｆｉ）、ＩＥＥＥ８０２．１６（ＷｉＭａｘ）、ＩＥＥＥ８０２．２０、Ｆｌａｓｈ−ＯＦＤＭ□などの無線技術を実施することが可能である。ＵＴＲＡおよびＥ−ＵＴＲＡは、ＵＭＴＳ（ユニバーサルモバイルテレコミュニケーションシステム（Universal Mobile Telecommunication System））の一部である。３ＧＰＰ  ＬＴＥ（Long Term Evolution）は、ダウンリンク上でＯＦＤＭＡを使用し、アップリンク上でＳＣ−ＦＤＭＡを使用する、Ｅ−ＵＴＲＡを使用するＵＭＴＳのリリースである。ＵＴＲＡ、Ｅ−ＵＴＲＡ、ＵＭＴＳ、ＬＴＥ、およびＧＳＭは、「第３世代パートナーシッププロジェクト（3rd Generation Partnership Project）」（３ＧＰＰ）という名称の組織からの文書において説明されている。さらに、ｃｄｍａ２０００およびＵＭＢは、「第３世代パートナーシッププロジェクト２（3rd Generation Partnership Project 2）」（３ＧＰＰ２）という名称の組織からの文書において説明されている。
【００２３】
様々な態様または特徴は、いくつかのデバイス、コンポーネント、モジュールなどを含むことが可能なシステムに関して提示される。様々なシステムは、さらなるデバイス、コンポーネント、モジュールなどを含むことが可能であり、かつ／または図に関連して説明されるデバイス、コンポーネント、モジュールなどのすべてを含まないことも可能であることを理解し、認識されたい。また、これらのアプローチの組合せが使用されることも可能である。
【００２４】
図１は、或る態様によるＵＥの測定動作を管理することに関する例示的なブロック図を示す。システム１００は、接続モードにおいて不連続動作（ＤＲＸ）をしている間のＵＥによる測定を開始するフレームワークを提供する。図１に示されるとおり、ＵＥ１１６は最初に、サービング周波数の測定を開始することをできるようにされる。ＵＥ１１６が、連続的な測定を開始すると、様々な態様が、例えば、ネットワークによって、ＵＥ１１６に関して構成された測定イベントを評価する。不連続動作（ＤＲＸ）は、通信デバイス（例えば、移動デバイス）における電力消費の低減を促進することができる。
【００２５】
例えば、ＵＥ１１６は、事前定義されたスリープモード判定基準に部分的に基づいて、所望されるスリープモードまたは中断された動作を選択すること、および／またはそのようなモードまたは動作に切り換えることを促進することができるスリープモードコントローラを使用することができる。本発明の様々な態様は、サービングセルの品質が、ネットワークによって構成された所定の品質しきい値を表す、S_Intrasearchパラメータというしきい値を下回って低下した際に、ＵＥが、測定状態に自律的に（例えば、ネットワークからの命令とは無関係に）入ること、およびネットワークに関する測定レポートを生成することを可能にする。ＵＥが、そのような測定状態に入ると、ＵＥ１１６は、連続的な測定にとりかかり、物理層から適切なサンプルを獲得して、現在の周波数に関する、ＵＥによる測定評価を生成する。その後、ＵＥ１１６は、現在の周波数に関するそのような測定レポートをネットワークに送信することができ、さらに、このため、ネットワークが、次いで可能なハンドオーバコマンドに測定ギャップを割り当てる、または測定ギャップを有効にするトリガの役割をすることができる。
【００２６】
或る態様によれば、ＵＥ１１６は、そのような移動デバイスが、事前定義されたスリープモード判定基準に部分的に基づいて、ＤＳ（深いスリープ）モード、ＬＳ（浅いスリープ）モード、および／またはＣＲＸ（連続的な受信）モードなどの、異なるモードの間で遷移する（例えば、切り換わる）ことができるように構成されることが可能である。一態様において、移動デバイス（例えば、１１６）は、各サイクルが、移動デバイスが基地局もしくはサービングｅＮＢ１０２からの伝送を監視することができる「オン」期間、および／または移動デバイスにおいてＲＦ（無線周波数）生成が、電力消費を低減することを促進するようにオフにされることが可能な「オフ」期間を含むことが可能なサイクル（例えば、ＤＴＸ（不連続送信））を有することが可能である。特定のモードに関連する特定のサイクルの長さは、そのサイクル内のそれぞれの「オン」期間と組み合わされた、それぞれの「オフ」期間の全長に部分的に基づくことが可能である。このため、例えば、ＤＳモードに関連する「オフ」期間は、ＬＳモードに関連する「オフ」期間より長いことが可能であるので、ＤＳモードに関するＤＲＸサイクルは、ＬＳモードに関するＤＲＸサイクルより長さが長いことが可能である。一態様において、ＤＳモードは、電力消費を低減すること（例えば、バッテリ電源の使用を低減する）を促進するように、ＬＳモードに関連するサイクルに関する指定された「オフ」期間、またはＣＲＸモードに関連するサイクル（例えば、「オフ」期間が０に設定されていることが可能な）に関する指定された「オフ」期間より長いことが可能なＤＲＸ（不連続受信）に関連する指定された「オフ」期間を有するサイクル（例えば、ＤＲＸサイクル）を有することが可能である。「オフ」期間中、移動デバイス（例えば、１１６）は、移動デバイスのＲＦ生成をオフにする（例えば、非活性化する）（例えば、ＤＴＸ（不連続送信）期間が存在する場合にも）ことが可能であり、ただし、「オフ」期間中、移動デバイスは、電力消費を低減することを促進するために、データまたは制御情報を受信することができない。また、ＤＳモードは、電力消費を低減することを促進するようにＬＳモードまたはＣＲＸモード（例えば、「オフ」期間が０に設定されていることが可能な）に関連する「オフ」期間より長いことが可能なＤＴＸに関連する指定された「オフ」期間を有することも可能である。ＤＳモードは、サイクル中に指定された「オン」期間をさらに有することが可能であり、ただし、この「オン」期間は、ＬＳモードに関する「オン」期間より生じる頻度が低いことが可能であり、さらに移動デバイス（例えば、１１６）は、そのような「オン」期間中に或る情報（例えば、制御情報）を受信することができる。また、ＤＳモードは、ＤＴＸサイクル中に指定された「オン」期間を有することも可能である。ＤＳモードにある間、移動デバイス（例えば、１１６）は、データチャネルを介してデータを送信することができないが、「オン」期間（例えば、「オン」間隔）中に制御チャネルを介して制御情報を受信する、かつ／または送信することはできる。基地局１０２とデータを交換するため、移動デバイス（例えば、１１６）は、ＤＳモードを抜けて、ＬＳモードまたはＣＲＸモードに遷移しなければならない。
【００２７】
ＤＳモード、ＬＳモード、およびＣＲＸモードのそれぞれは、移動デバイス（例えば、１１６）が、それぞれのＣＱＩ属性、それぞれのＳＲＳ（サウンディング（sounding）基準信号）属性、それぞれの測定イベント、および／またはそれぞれのタイマ値に部分的に基づいて、さらに構成されることが可能であり、ただし、タイマ値は、いつ移動デバイス（例えば、１１６）が１つのモードから別のモードに遷移すべきかを判定することを促進するのに利用されることが可能である。例えば、ＣＱＩ属性は、スリープモードのタイプ、または１つのスリープモードから別のスリープモードへの遷移に部分的に基づいて、構成される、または更新されることが可能である。
【００２８】
事前定義されたスリープモード判定基準に関して、そのような判定基準は、例えば、１つのモードから別のモードに（例えば、ＬＳモードからＤＳモードに）遷移するよう移動デバイス（例えば、１１６）に示す、かつ／または指示する、基地局１０２からの明示的信号（例えば、制御メッセージ）、および／または暗示的信号（例えば、所定の期間以上にわたって移動デバイスに関連するデータ通信がないこと）と関係することが可能である。移動デバイス（例えば、１１６）は、制御メッセージ、データメッセージ、および／またはイベント（例えば、データ伝送または制御情報を受信すること、または送信すること）の間の時間の長さに関する情報、および／または生じるイベントのタイプなどの受信される情報を監視し、分析することができ、さらに事前定義されたスリープモード判定基準に部分的に基づいて、異なるモードの選択、および／または異なるモードの間の切り換えを制御することができる。また、移動デバイス（例えば、１１６）は、１つのモードから別のモードへの遷移をトリガするように、特定のイベントの間で所定の期間が経過したかどうかを判定することを促進するように、イベント間の時間の長さを追跡することもできる。移動デバイス（例えば、１１６）は、電力消費を低減することを促進するように、事前定義されたスリープモード判定基準に部分的に基づいて、ＬＳモードまたはＤＳモードに遷移することができる。その結果、移動デバイス（例えば、１１６）は、従来の移動デバイスと比べて、電力消費を低減することを促進することができる。
【００２９】
明示的信号に関して、明示的信号は、基地局１０２から移動デバイス（例えば、１１６）に送信される、Ｌ１／Ｌ２制御メッセージ、および／またはＬ１／Ｌ２制御メッセージと、データのスケジュールされたダウンリンクと（例えば、Ｌ１／Ｌ２制御チャネル＋ＤＬ  ＳＣＨ）を含むことが可能であり、ただし、事前定義されたスリープモード判定基準は、そのような明示的信号を受信した際に、移動デバイスが、ＤＳモードからＬＳモードに遷移すべきこと（例えば、ＤＲＸおよび／またはＤＴＸに関して）、および移動デバイスが、ＤＳモードからＬＳモードに遷移することができることを規定することができる。明示的信号は、例えば、基地局１０２が、データ交換が全く行われないことを知っている場合、および／または事前定義されたスリープモード判定基準に部分的に基づいて、事前定義された期間にわたって基地局１０２と移動デバイスの間でデータ交換が全く行われていない場合、基地局１０２によって生成されて、移動デバイス（例えば、１１６）に送信されることが可能である。また、基地局１０２は、事前定義された期間がデータ交換の合間に経過したかどうかを判定することを促進するように、移動デバイス（例えば、１１６）とのデータ交換の合間に経過した時間量を追跡することもできる。
【００３０】
図２は、無線通信環境内の移動デバイスに関連する異なるスリープモードの間の遷移を促進することができるシステム２００を示す。システム２００は、ＵＥ２１６などの１つまたは複数の移動デバイスと通信することができる基地局２０２を含む。簡明のため、図２において１つだけしか移動デバイスが示されていないことを認識し、理解されたい。さらに、基地局２０２は、例えば、認証、許可、アカウンティング、料金請求などの機能を実行することができる他の基地局および／または任意の異種のデバイス（例えば、サーバ）（図示せず）と通信することができる。基地局２０２とＵＥ２１６はそれぞれ、例えば、システム２００に関連して、本明細書でより完全に説明されるそれぞれのコンポーネントと、それぞれ、同一または同様であることが可能であり、かつ／またはそのようなコンポーネントと同一または同様の機能性を、それぞれ、備えることが可能である。
【００３１】
ＵＥ２１６は、基地局２０２と通信するように接続される（例えば、無線接続）ことが可能であり、この接続は、データチャネルと、制御チャネルとを備えることが可能である。データチャネルは、ＵＥ２１６と基地局２０２の間のデータの伝送を促進することができ、さらに制御チャネルは、移動デバイスと基地局２０２の間の制御情報の伝送を促進することができる。以下の説明は、異なるモードの間のＵＥ２１６の遷移に関する実施例を与える。
【００３２】
１つの特定の実施例において、ＵＥ２１６は、データストア２０４の中に格納されることが可能な事前定義されたスリープモード判定基準に部分的に基づいて、ＤＳモード、ＬＳモード、および／またはＣＲＸモード（例えば、ＤＲＸおよびＤＴＸに関して）などの様々なスリープモード間でＵＥ２１６を遷移させることを促進することができるスリープモードコントローラ２０３を含むことが可能である。スリープモードコントローラ２０３は、データストア２０４から事前定義されたスリープモード判定基準に関連する情報を取り出すことを促進することができ、さらに活動（例えば、ＵＥ２１６に関連するデータ交換）に関する受信された情報を評価することができ、さらにそのような受信された情報を事前定義されたスリープモード判定基準と比較して、ＵＥ２１６が１つのモードから別のモードに遷移すべきかどうかを判定することを促進することができるアナライザコンポーネント２０６に、事前定義されたスリープモード判定基準を供給することができる。
【００３３】
本明細書で説明されるデータストア２０４は、揮発性メモリまたは不揮発性メモリであることが可能であり、あるいは揮発性メモリと不揮発性メモリの両方を含むことが可能であることが認識されよう。例として、限定としてではなく、不揮発性メモリは、ＲＯＭ（読取り専用メモリ）、ＰＲＯＭ（プログラム可能なＲＯＭ）、ＥＰＲＯＭ（電気的にプログラム可能なＲＯＭ）、ＥＥＰＲＯＭ（電気的に消去可能なＰＲＯＭ）、フラッシュメモリ、および／またはＮＶＲＡＭ（不揮発性ランダムアクセスメモリ）を含むことが可能である。揮発性メモリは、外部キャッシュメモリの役割をすることが可能な、ＲＡＭ（ランダムアクセスメモリ）を含むことが可能である。例として、限定としてではなく、ＲＡＭは、ＳＲＡＭ（シンクロナスＲＡＭ）、ＤＲＡＭ（ダイナミックＲＡＭ）、ＳＤＲＡＭ（シンクロナスＤＲＡＭ）、ＤＤＲ  ＳＤＲＡＭ（ダブルデータレートＳＤＲＡＭ）、ＥＳＤＲＡＭ（拡張ＳＤＲＡＭ）、ＳＬＤＲＡＭ（シンクリンクＤＲＡＭ）、およびＤＲＲＡＭ（ダイレクトランバスＲＡＭ）などの多くの形態で利用可能である。本システムおよび本方法のメモリ６０８は、以上、およびその他の任意の適切なタイプのメモリを、そのようなメモリに限定されることなしに、備えることを意図している。
【００３４】
ＵＥ２１６は、例えば、ＵＥ２１６に関連するデータ交換の合間に経過した時間量などの、イベントが生じることの合間に経過した時間量を追跡することができるタイマ２０８をさらに含むことが可能である。タイマ２０８が、移動デバイス２１６が、所定の時間量以上にわたってデータ交換に関して不活性であったかどうかを判定することを促進するために、イベントの合間の経過した時間に関する情報をスリープモードコントローラ２０３および／またはアナライザ２０６に供給することができ、そのような所定の時間量は、事前定義されたスリープモード判定基準によって指定されることが可能であり、さらに異なるタイプの遷移、および／または異なるタイプの伝送（例えば、データの受信、データの送信）に関して使用される別の所定の時間量が存在する（例えば、所定の１つの時間量が、ＣＲＸモードからＬＳモードに遷移すべきかどうかを判定することに関連し、別の所定の時間量が、ＬＳモードとＤＳモードの間で遷移すべきかどうかを判定することに関連する）ことが可能である。
【００３５】
例えば、ＵＥ２１６が、ＣＲＸモードにあることが可能であり、さらにアナライザコンポーネント２０６が、２秒にわたってＵＥ２１６と基地局２０２の間でデータ交換が行われていなかったことを示す時間情報を、タイマ２０８から受け取ることが可能である。アナライザ２０６は、そのような時間情報を、事前定義されたスリープモード判定基準と比較することができ、この判定基準は、この実施例では、最後のデータ交換以来、２秒以上経過している場合に、ＵＥ２１６がＣＲＸモードからＬＳモードに遷移させられるべきことを指定することができる。アナライザ２０６は、ＣＲＸモードからＬＳモードに遷移する事前定義されたスリープモード判定基準が満たされていると判定することが可能であり、さらにその判定をスリープモードコントローラ２０３に通信することができる。スリープモードコントローラ２０３は、この判定および／または事前定義されたスリープモード判定基準に部分的に基づいて、ＵＥ２１６をＣＲＸモードからＬＳモードに遷移させること（例えば、切り換えること）を促進することができる。ＣＲＸモードからＬＳモードに遷移することに関する事前定義されたスリープモード判定基準を満たす、経過した時間は、そのような遷移を実行する暗示的信号であることが可能である。
【００３６】
別の実施例として、ＵＥ２１６が、ＬＳモードにあることが可能である。移動デバイス２１６が、基地局２０２から、ＵＥ２１６がＬＳモードからＤＳモードに遷移すべきことを示す、Ｌ１／Ｌ２制御チャネルまたはＬ１／Ｌ２制御＋ＤＬ  ＳＣＨなどの明示的信号を受信することが可能である。そのようなメッセージは、受信されたメッセージを事前定義されたスリープモード判定基準と比較することができるアナライザ２０６に供給されることが可能であり、そのような判定基準は、そのようなメッセージが受信されると、ＬＳモードからＤＳモードへの遷移が実行されるべきことを指定することが可能であり、さらにアナライザ２０６が、ＬＳモードからＤＳモードへの遷移が行われるべきことを判定することができる。アナライザ２０６は、そのような判定をスリープモードコントローラ２０３に通信することができ、さらにスリープモードコントローラ２０３は、ＵＥ２１６をＬＳモードからＤＳモードに遷移させることを促進することができる。
【００３７】
前段で説明されるとおり、ＵＥ２１６は、サービングセルの品質が、ネットワークによって構成された所定の品質しきい値を表す、S_Intrasearchパラメータというしきい値を下回って低下した際に、測定状態に自律的に（例えば、ネットワークからの命令とは無関係に）入ることができ、さらにネットワークに関する測定レポートを生成することができる。ＵＥが、そのような測定状態に入ると、ＵＥは、連続的な測定にとりかかり、物理層から適切なサンプルを獲得して、現在の周波数に関する、ＵＥによる測定評価を生成する。その後、ＵＥは、現在の周波数に関するそのような測定レポートをネットワークに送信することができ、さらに、このため、ネットワークが、次いで可能なハンドオーバコマンドに測定ギャップを割り当てる、または測定ギャップを有効にするトリガの役割をすることができる。
【００３８】
図３は、測定レポートの受信を実施し、無線通信環境内の移動デバイスに関連する異なるスリープモードの間の遷移をさらに促進するシステム３００を示す。システム３００は、移動デバイス３１６などの１つまたは複数の移動デバイスと通信することができる基地局３１２を含む。簡明のため、図３において１つだけしか移動デバイスが示されていないことを認識し、理解されたい。さらに、基地局３１２は、他の基地局、および／または、例えば、認証、許可、アカウンティング、料金請求などの機能を実行することができる任意の異種のデバイス（例えば、サーバ）（図示せず）と通信することができる。
【００３９】
基地局３１２は、移動デバイス３１６における様々なスリープモードの間の遷移を制御することを促進することができるコントローラ３０２を含むことが可能である。例えば、コントローラ３０２は、アナライザ３０４と連携して、１つのスリープモードから別のモードに遷移するよう移動デバイス３１６に指示する明示的信号（例えば、制御メッセージ）を生成して、移動デバイス３１６に送信するかどうかを判定することを促進するように、事前定義されたスリープモード判定基準に鑑みて、遷移判定に関係のある情報を評価すること、および／または比較することを促進することができる。
【００４０】
また、基地局３１２は、基地局３１２と移動デバイス３１６の間のデータ交換の合間に経過した、あるいは最後のデータ交換から経過した時間の長さを追跡することができるタイマ３０６を含むことも可能である。タイマ３０６は、そのような時間情報をコントローラ３０２および／またはアナライザ３０４に供給することができ、さらにそのような時間情報は、遷移が実行されるべきかどうかを判定することを促進するように、事前定義されたスリープモード判定基準に対して評価される（例えば、比較される）ことが可能である。
【００４１】
また、基地局３１２は、基地局３１２と移動デバイス３１６の間のアップリンク伝送および／またはダウンリンク伝送をスケジュールすることができるスケジューラ３０８を備えることも可能である。スケジューラ３０８は、移動デバイス３１６が「オン」期間または「オン」状態（例えば、ＬＳモードの「オン」期間、あるいは連続的な「オン」状態にあることが可能なＣＲＸモード）にある際に、ダウンリンク伝送が生じるようにスケジュールすることができる。また、スケジューラ３０８は、移動デバイス３１６が「オン」期間（例えば、ＬＳモードの「オン」期間、あるいは連続的な「オン」状態にあることが可能なＣＲＸモード）にある際に、アップリンク伝送が生じるようにスケジュールすることもできる。スケジューラ３０８は、特定の伝送の一部として、所望される制御メッセージ、および／または関連するデータを送信することを促進することができる。基地局は、ＵＥまたは移動デバイス３１６から測定レポートを受信することができる。
【００４２】
図４は、接続モードにおいて不連続動作をしている間のＵＥによる測定を開始するフレームワークを提供する関連する方法４００を示す。例示的な方法は、様々なイベントおよび／または動作を表す一連のブロックとして本明細書で示され、説明されるが、本発明は、そのようなブロックの例示される順序によって限定されない。例えば、一部の動作またはイベントは、本発明によれば、本明細書で示される順序を離れて、異なる順序で、かつ／または他の動作またはイベントと同時に生じることも可能である。さらに、本発明による方法を実施するのに図示されるすべてのブロック、イベント、または動作が、要求されるわけではない可能性がある。さらに、本発明による例示的な方法、および他の方法は、本明細書で示され、説明される方法に関連して実施されることが可能であるとともに、示されない、または説明されない他のシステムおよび装置に関連して実施されることも可能であることが認識されよう。最初、４１０で、ＵＥが、ＤＲＸなどの不連続動作モードに切り換えられる。例えば、移動デバイスは、事前定義されたスリープモード判定基準に部分的に基づいて、或る条件が満たされて、異なるスリープモードへの遷移が実行されるべきかどうかを判定するために、明示的信号（例えば、スリープモードの変更を命令する基地局からのメッセージ）、暗示的信号（例えば、所定の期間にわたって移動デバイスと基地局の間でデータ交換がないこと）、現在のスリープモード状態、および／または利用可能なスリープモード状態などの、スリープモード遷移を判定することに関係のある情報を、スリープモードコントローラと連携して動作して、評価することができるアナライザを使用することができる。そのような条件が満たされた場合、スリープモードコントローラは、移動デバイスによる電力消費を低減することを促進するように、現在のスリープモードから異なるスリープモードに遷移することを促進することができる。
【００４３】
次に、４２０で、サービングセルの品質が、ネットワークによって構成された所定の品質しきい値を表す、S_Intrasearchパラメータというしきい値を下回って低下しているかどうかを検証する判定が、行われる。S_Intrasearchパラメータというしきい値を下回って低下している場合、４３０で、ＵＥは、測定状態に入り、ＵＥは、連続的な測定にとりかかり、物理層から適切なサンプルを獲得して、現在の周波数に関する、ＵＥによる測定評価を生成する。その後、４４０で、ＵＥは、現在の周波数に関するそのような測定レポートをネットワークに送信することができる。
【００４４】
図５は、５１０で、ネットワークが、所定のパラメータ（例えば、S_Intrasearchパラメータ）を下回って低下したサービス品質を有するサービングセルに関連するＵＥから測定レポートを受信する、さらなる方法５００を示す。現在の周波数の測定レポートをそのように送信することは、５２０で、ネットワークに関してハンドオーバを実行すること、および／または５３０で、他の周波数または他の無線アクセス網の測定に関する測定ギャップをトリガすること（例えば、ＵＥが、他の周波数を測定するのに、ＵＥは、測定ギャップおよびギャップ割当てを要する）の二重の機能を果たすことができる。一般に、ＵＥが、ＤＲＸモードにある場合、測定サンプルを獲得するための機会は、限られたままであり、このため、ＵＥは、適切で、正確な測定評価（例えば、現在のセル、セル内周波数、セル間周波数に関する）を容易に実行することができない。このため、方法５００は、５４０で、ＤＲＸモードにおけるＵＥの動作を活用し、これにより測定ギャップの割当てを減らす。さらに、ＵＥは、ＵＥのＤＲＸパターンからの「ナチュラルギャップ」を使用することによって、周波数間測定および／またはＲＡＴ間測定を自律的に実行することを、そのような測定を実行するのに適切である場合に、可能にされる。前段で説明されるとおり、様々な態様は、ネットワークが、ＵＥに関して、或る特定の測定（例えば、周波数間、周波数内、サービングセクタの現在の周波数など）をトリガするようにＵＥにより使用されることが可能な測定イベントと関係する情報、ＵＥによって獲得される測定のタイプと関係する情報、およびネットワークへの生成されたレポートの伝送と関係する情報を指定することを可能にする。
【００４５】
また、別の態様において、周波数間測定、ＲＡＴ間測定、および周波数内測定を開始することに関する完全なＵＥ自律性が、供給されることも可能である。例えば、ＵＥは、所定の測定イベント判定基準がトリガされた（例えば、サービングセル品質が、しきい値を下回って低下した場合、周波数間測定および／またはＲＡＴ（無線アクセス技術（Radio Access Technology））間測定を自動的に開始するようにネットワークによって事前構成されることが可能である。そのようにすることにより、測定レポートおよびギャップ割当ての転送の要件が緩和される。このため、周波数間測定、ＲＡＴ間測定、および周波数内測定を開始することに関する完全なＵＥ自律性が、供給される。
【００４６】
図６は、本明細書で提示される様々な態様による無線通信システム６００を示す。システム６００は、互いの間で、かつ／または１つまたは複数の移動デバイス６０４との間で無線通信信号の受信、送信、再送などを行う、１つまたは複数のセクタにおける１つまたは複数の基地局６０２を備えることが可能である。各基地局６０２は、（例えば、各送信アンテナおよび各受信アンテナにつき１つの）複数の送信機チェーンおよび複数の受信機チェーンを備えることが可能であり、次いでこれらの送信機チェーンおよび受信機チェーンのそれぞれは、信号送信および信号受信に関連する複数のコンポーネント（例えば、プロセッサ、変調器、マルチプレクサ、復調器、デマルチプレクサ、アンテナなど）を備えることが可能である。各移動デバイス６０４は、ＭＩＭＯ（多入力多出力）システムのために利用されることが可能な１つまたは複数の送信機チェーン、および１つまたは複数の受信機チェーンを備えることが可能である。各送信機チェーンおよび各受信機チェーンは、当業者には認識されるとおり、信号送信および信号受信に関連する複数のコンポーネント（例えば、プロセッサ、変調器、マルチプレクサ、復調器、デマルチプレクサ、アンテナなど）を備えることが可能である。
【００４７】
或る基地局から別の基地局へのハンドオーバ中、ＵＥ６０４または移動デバイスは、ソースｅＮＢおよび信号強度の測定をソースノードに報告する。ソースｅＮＢがハンドオーバを実行することを決定すると、ハンドオーバ要求が、ソースｅＮＢからターゲットｅＮＢに送信される。
【００４８】
前段で説明されるとおり、本発明の態様は、サービングセルの品質が、S_Intrasearchパラメータというしきい値を下回って低下した際に、ＵＥが、測定状態に自律的に（例えば、ネットワークからの命令とは無関係に）入ること、およびネットワークに関する測定レポートを生成することを可能にする。ＵＥが、そのような測定状態に入ると、ＵＥは、連続的な測定にとりかかり、物理層から適切なサンプルを獲得して、現在の周波数に関する、ＵＥによる測定評価を生成する。その後、ＵＥは、現在の周波数に関するそのような測定レポートをネットワークに送信することができ、さらに、このため、ネットワークが、次いで可能なハンドオーバコマンドに測定ギャップを割り当てる、または測定ギャップを有効にするトリガの役割をすることができる。
【００４９】
図７は、１つまたは複数の態様による多元接続無線通信システム７００を示す。無線通信システム７００は、１つまたは複数のユーザデバイスと連絡状態にある１つまたは複数の基地局を含むことが可能である。各基地局は、複数のセクタに関するカバレッジを提供する。１つのアンテナグループが、アンテナ７０４および７０６を含み、別のアンテナグループが、アンテナ７０８および７１０を含み、さらに第３のアンテナグループが、アンテナ７１２および７１４を含む、複数のアンテナグループを含む３セクタ基地局７０２が、示される。図７に示されるとおり、各アンテナグループに関して２つだけしかアンテナが示されていないが、各アンテナグループに関して、より多くのアンテナが使用されることも、より少ないアンテナが使用されることも可能である。移動デバイス７１６は、アンテナ７１２および７１４と通信状態にあり、アンテナ７１２および７１４は、順方向リンク７１８を介して移動デバイス７１６に情報を送信し、さらに逆方向リンク７２０を介して移動デバイス７１６から情報を受信する。順方向リンク（またはダウンリンク）とは、基地局から移動デバイスに至る通信リンクを指し、逆方向リンク（またはアップリンク）とは、移動デバイスから基地局に至る通信リンクを指す。移動デバイス７２２は、アンテナ７０４および７０６と通信状態にあり、アンテナ７０４および７０６は、順方向リンク７２４を介して移動デバイス７２２に情報を送信し、さらに逆方向リンク７２６を介して移動デバイス７２２から情報を受信する。ＦＤＤシステムにおいて、例えば、通信リンクは、通信のために様々な周波数を利用することが可能である。例えば、順方向リンク７１８は、逆方向リンク７２０によって利用される周波数とは異なる周波数を使用することが可能である。
【００５０】
各アンテナグループ、および／またはアンテナグループが通信するように指定された区域は、基地局７０２のセクタと呼ばれることが可能である。１つまたは複数の態様において、アンテナグループはそれぞれ、基地局７０２が範囲に含むセクタまたは区域の中の移動デバイスに通信するように設計される。基地局は、端末装置と通信するために使用される固定局であることが可能である。
【００５１】
順方向リンク７１８および７２４を介した通信状態において、基地局７０２の送信アンテナは、異なる移動デバイス７１６および７２２に関する順方向リンクのＳ／Ｎ比を向上させるために、ビームフォーミングを利用することができる。また、基地局のカバレッジエリア全体にわたってランダムに散らばった移動デバイスに送信するようにビームフォーミングを利用する基地局は、基地局によってもたらされ得る干渉と比べて、隣接セルにおける移動デバイスに、より小さい干渉しかもたらさないことが可能である。
【００５２】
図８は、例示的な無線通信システム８００を示す。無線通信システム８００は、簡明のため、１つの基地局と、１つの端末装置とを示す。しかし、システム８００は、複数の基地局もしくはアクセスポイント、および／または複数の端末装置もしくはユーザデバイスを含むことも可能であり、さらなる基地局および／またはさらなる端末装置は、後段で説明される例示的な基地局および端末装置と実質的に同様であることも、異なることも可能であることを認識されたい。さらに、基地局および／または端末装置は、基地局および／または端末装置の間の無線通信を促進するように、本明細書で説明されるシステムおよび／または方法を使用することができることを認識されたい。
【００５３】
図８に示されるとおり、ダウンリンク上で、アクセスポイント８０５において、ＴＸ（送信）データプロセッサ８１０が、トラヒックデータを受け取り、フォーマットし、符号化し、インタリーブし、さらに変調して（またはシンボルマップして）、変調シンボル（「データシンボル」）をもたらす。シンボル変調器８１５が、これらのデータシンボルおよびパイロットシンボルを受け取り、処理して、シンボルのストリームをもたらす。シンボル変調器８１５は、データシンボルおよびパイロットシンボルを多重化して、Ｎ個の送信シンボルのセットを獲得する。各送信シンボルは、データシンボル、パイロットシンボル、または０の信号値であることが可能である。これらのパイロットシンボルは、各シンボル期間において連続的に送信されることが可能である。これらのパイロットシンボルは、ＦＤＭ（周波数分割多重化）されている、ＯＦＤＭ（直交周波数分割多重化）されている、ＴＤＭ（時分割多重化）されている、ＦＤＭ（周波数分割多重化）されている、またはＣＤＭ（符号分割多重化）されていることが可能である。
【００５４】
ＴＭＴＲ（送信機ユニット）８２０が、シンボルのストリームを受け取り、１つまたは複数のアナログ信号に変換し、さらに、これらのアナログ信号をさらに調整して（例えば、増幅し、フィルタリングし、さらに周波数アップコンバートして）、無線チャネルを介して送信するのに適したダウンリンク信号を生成する。次に、このダウンリンク信号が、アンテナ８２５を介して端末装置に送信される。端末装置８３０において、アンテナ８３５が、ダウンリンク信号を受信し、受信された信号をＲＣＶＲ（受信機ユニット）８４０に供給する。受信機ユニット８４０は、受信された信号を調整し（例えば、フィルタリングし、増幅し、さらに周波数ダウンコンバートし）、さらに、この調整された信号をディジタル化してサンプルを得る。シンボル復調器８４５が、受信されたＮ個のシンボルを獲得し、チャネル推定のために、受信されたパイロットシンボルをプロセッサ８５０に供給する。シンボル復調器８４５は、プロセッサ８５０からダウンリンクに関する周波数応答推定をさらに受信し、受信されたデータシンボルに対してデータ復調を実行して、データシンボル推定（送信されたデータシンボルの推定である）を獲得し、さらにこれらのデータシンボル推定をＲＸデータプロセッサ８５５に供給し、プロセッサ８５５は、これらのデータシンボル推定を復調し（すなわち、シンボル逆マップし）、逆インタリーブし、さらに復号して、送信されたトラヒックデータを回復する。シンボル復調器８４５およびＲＸデータプロセッサ８５５による処理は、アクセスポイント８０５におけるシンボル変調器８１５およびＴＸデータプロセッサ８１０による処理と、それぞれ、相補的である。
【００５５】
アップリンク上で、ＴＸデータプロセッサ８６０が、トラヒックデータを処理して、データシンボルを供給する。シンボル変調器８６５が、これらのデータシンボルをパイロットシンボルと一緒に受け取って、多重化し、変調を実行して、シンボルストリームをもたらす。次に、送信機ユニット８７０が、このシンボルストリームを受け取り、処理し、アップリンク信号を生成し、このアップリンク信号が、アンテナ８３５によってアクセスポイント８０５に送信される。
【００５６】
アクセスポイント８０５において、端末装置８３０からのアップリンク信号が、アンテナ８２５によって受信され、受信機ユニット８７５によって処理されて、サンプルが得られる。次に、シンボル復調器８８０が、これらのサンプルを処理して、受信されたパイロットシンボル、およびアップリンクに関するデータシンボル推定をもたらす。ＲＸデータプロセッサ８８５が、これらのデータシンボル推定を処理して、端末装置８３０によって送信されたトラヒックデータを回復する。プロセッサ８９０が、アップリンクで送信するそれぞれの活性の端末装置に関するチャネル推定を実行する。
【００５７】
プロセッサ８９０および８５０が、それぞれ、アクセスポイント８０５および端末装置８３０における動作を指示する（例えば、制御する、調整する、管理するなど）。それぞれのプロセッサ８９０および８５０は、プログラムコードおよびデータを格納するメモリユニット（図示せず）に関連することが可能である。また、プロセッサ８９０および８５０は、それぞれ、アップリンクおよびダウンリンクに関する周波数応答推定およびインパルス応答推定を導き出す計算を実行することもできる。
【００５８】
多元接続システム（例えば、ＦＤＭＡ、ＯＦＤＭＡ、ＣＤＭＡ、ＴＤＭＡなど）の場合、複数の端末装置が、アップリンク上で同時に送信することが可能である。そのようなシステムの場合、パイロットサブバンドは、異なる端末装置の間で共有されることが可能である。各端末装置に関するパイロットサブバンドが、動作帯域全体にわたる（場合により、帯域端部を除いて）事例において、チャネル推定技術が、使用されることが可能である。そのようなパイロットサブバンド構造は、各端末装置に関して周波数ダイバーシティを得るのに望ましい。本明細書で説明される技術は、様々な手段によって実施されることが可能である。例えば、これらの技術は、ハードウェアで、ソフトウェアで、またはハードウェアとソフトウェアの組合せで実施されることが可能である。ハードウェアでの実施の場合、チャネル推定のために使用される処理ユニットは、１つまたは複数のＡＳＩＣ（特定用途向け集積回路）、ＤＳＰ（ディジタル信号プロセッサ）、ＤＳＰＤ（ディジタル信号処理デバイス）、ＰＬＤ（プログラマブル論理デバイス）、ＦＰＧＡ（フィールドプログラマブルゲートアレー）、プロセッサ、コントローラ、マイクロコントローラ、マイクロプロセッサ、本明細書で説明される機能を実行するように設計された他の電子ユニット、または以上の組合せの内部で実施されることが可能である。ソフトウェアの場合、実施は、本明細書で説明される機能を実行するモジュール（例えば、プロシージャ、ファンクションなど）を介することが可能である。ソフトウェアコードは、メモリユニット中に格納され、プロセッサ８９０および８５０によって実行されることが可能である。
【００５９】
次に図９を参照すると、図示されるのは、デバイス９００のＤＲＸパターンからの「ナチュラルギャップ」を使用することによって、周波数間測定および／またはＲＡＴ間測定を、そのような測定を実行するのに適切である場合に、自律的に実行することができるユーザデバイス９００である。システム９００は、例えば、受信機アンテナから信号を受信することができる受信機９０２を備える。受信機９０２は、受信された信号をフィルタリングすること、増幅すること、ダウンコンバートすることなどの通常のアクションを受信機９０２上で実行することができる。また、受信機９０２は、調整された信号をディジタル化して、サンプルを得ることもできる。復調器９０４が、各シンボル期間に関して、受信されたシンボルを得ることができるとともに、受信されたシンボルをプロセッサ９０６に供給することができる。
【００６０】
プロセッサ９０６は、受信機コンポーネント９０２によって受信された情報を分析するため、および／または送信機９０８によって送信されるように情報を生成するための専用のプロセッサであることが可能である。さらに、または代替として、プロセッサ９０６は、ユーザデバイス９００の１つまたは複数のコンポーネントを制御し、受信機９０２によって受信された情報を分析し、送信機９０８によって送信されるように情報を生成し、および／またはユーザデバイス９００の１つまたは複数のコンポーネントを制御することができる。プロセッサ９０６は、さらなるユーザデバイスとの通信を調整することができるコントローラコンポーネントを含むことが可能である。
【００６１】
ユーザデバイス９００は、プロセッサ９０６に動作上、結合され、さらに通信を調整することと関係する情報、および他の任意の適切な情報を格納することができるメモリ９０８をさらに備えることが可能である。メモリ９１０は、サンプル再配置に関連するプロトコルをさらに格納することが可能である。本明細書で説明されるデータストア（例えば、メモリ）コンポーネントは、揮発性メモリまたは不揮発性メモリであることが可能であり、あるいは揮発性メモリと不揮発性メモリの両方を含むことが可能であることが認識されよう。例として、限定としてではなく、不揮発性メモリは、ＲＯＭ（読取り専用メモリ）、ＰＲＯＭ（プログラム可能なＲＯＭ）、ＥＰＲＯＭ（電気的にプログラム可能なＲＯＭ）、ＥＥＰＲＯＭ（電気的に消去可能なＲＯＭ）、またはフラッシュメモリを含むことが可能である。揮発性メモリは、外部キャッシュメモリの役割をすることが可能な、ＲＡＭ（ランダムアクセスメモリ）を含むことが可能である。例として、限定としてではなく、ＲＡＭは、ＳＲＡＭ（シンクロナスＲＡＭ）、ＤＲＡＭ（ダイナミックＲＡＭ）、ＳＤＲＡＭ（シンクロナスＤＲＡＭ）、ＤＤＲ  ＳＤＲＡＭ（ダブルデータレートＳＤＲＡＭ）、ＥＳＤＲＡＭ（拡張ＳＤＲＡＭ）、ＳＬＤＲＡＭ（シンクリンクＤＲＡＭ）、およびＤＲＲＡＭ（ダイレクトランバスＲＡＭ）などの多くの形態で利用可能である。本システムおよび／または本方法のメモリ９０８は、以上、およびその他の任意の適切なタイプのメモリを、そのようなメモリに限定されることなしに、備えることを意図している。ユーザデバイス９００は、変調された信号を送信するシンボル変調器９１２および送信機９０８をさらに備えることが可能である。
【００６２】
受信機９０２は、ランダム系列でウォルシュ系列をスクランブルして、スクランブルされた系列をもたらす符号器９１４に動作上、さらに結合される。符号器９１４は、単一のＦＨＴを利用して系列が復号されることが可能であるようにランダム系列を供給されることが可能である。さらに、受信機９０２は、スクランブルされた系列の１つまたは複数の部分系列の割当てを受け取るアロケータ９１６に動作上、結合されることが可能である。送信機９０８が、スクランブルされた系列をアクセスベースのハンドオフプローブとして送信することが可能である。アクセスプローブに応答して、受信機９０２が、共有シグナリングＭＡＣプロトコル（Shared Signaling MAC Protocol）を介して送信されることが可能なアクセス許可（Access Grant）を受信することが可能である。
【００６３】
図１０は、他の周波数または他の無線アクセス網の測定に関する測定ギャップをトリガすることを促進するシステム１０００の図である。図示されるとおり、基地局１００２は、受信アンテナ１００６によって１つまたは複数のユーザデバイス１００４からの信号を受信し、送信アンテナ１００８を介して１つまたは複数のユーザデバイス１００４に送信する。
【００６４】
基地局１００２は、受信アンテナ１００６から情報を受信し、さらに受信された情報を復調する復調器１０１２に動作上、関連する受信機１０１０を備える。復調されたシンボルは、ユニキャスト波形に埋め込まれたブロードキャスト−マルチキャスト波形と関係する情報を格納するメモリ１０１６に結合されたプロセッサ１０１４によって分析される。変調器１０１８が、送信機１０２０によって送信アンテナ１００８を介してユーザデバイス１００４に送信するための信号を多重化することができる。
【００６５】
プロセッサ１０１４は、アクセスディターミナ１０１６にさらに結合される。受信機１０１０が、基地局１００２によるサービスを受けるセクタへのアクセスを得ることを所望する１つまたは複数の移動デバイスからアクセスプローブを受信することが可能である。復調器１０１２が、ＦＨＴを利用して、アクセスプローブの中に含まれるウォルシュ系列を復調することができる。アクセスディターミナ１０１６が、そのセクタにその１つまたは複数の移動デバイスがアクセスするのを選択的に許可（Grant）することができる。
【００６６】
或る態様において、論理チャネルは、制御チャネル（Control Channels）とトラヒックチャネル（Traffic Channels）に分類される。論理制御チャネル（Logical Control Channels）は、システム制御情報をブロードキャストするためのＤＬチャネルであるＢＣＣＨ（ブロードキャスト制御チャネル（Broadcast Control Channel））を備える。ページング情報を転送するＤＬチャネルであるＰＣＣＨ（ページング制御チャネル（Paging Control Channel））。ＭＢＭＳ（マルチメディアブロードキャストおよびマルチキャストサービス（Multimedia Broadcast and Multicast Service））スケジューリング、および１つまたは複数のＭＴＣＨに関する制御情報を伝送するために使用されるポイントツーマルチポイントＤＬチャネル（Point-to-multipoint DL channel）であるＭＣＣＨ（マルチキャスト制御チャネル（Multicast Control Channel））。一般に、ＲＲＣ接続を確立した後、このチャネルは、ＭＢＭＳ（注、旧ＭＣＣＨ＋ＭＳＣＨ）を受信するＵＥだけによって使用される。ＤＣＣＨ（専用制御チャネル（Dedicated Control Channel））は、専用の制御情報を伝送し、ＲＲＣ接続を有するＵＥによって使用されるポイントツーポイント双方向チャネル（Point-to-point bi-directional channel）である。一態様において、論理トラヒックチャネル（Logical Traffic Channels）は、ユーザ情報の転送のために、１つのＵＥに専用の、ポイントツーポイント双方向チャネル（Point-to-point bi-directional channel）であるＤＴＣＨ（専用トラヒックチャネル（Dedicated Traffic Channel））を含む。また、トラヒックデータを伝送するためのポイントツーマルチポイントＤＬチャネルとしてＭＴＣＨ（マルチキャストトラヒックチャネル（Multicast Traffic Channel））を使用することもできる。
【００６７】
別の態様において、トランスポートチャネル（Transport Channels）は、ＤＬとＵＬに分類される。ＤＬトランスポートチャネル（DL Transport Channels）は、セル全体にわたってブロードキャストされ、他の制御／トラヒックチャネルのために使用されることが可能なＰＨＹリソースにマップされる、ＢＣＨ（ブロードキャストチャネル（Broadcast Channel））、ＤＬ−ＳＤＣＨ（ダウンリンク共有データチャネル（Downlink Shared Data Channel））、およびＰＣＨ（ページングチャネル（Paging Channel））を備え、ＰＣＨは、ＵＥ電力節約のサポートを目的とする（ＤＲＸサイクルが、ネットワークによってＵＥに示される）。ＵＬトランスポートチャネル（UL Transport Channels）は、ＲＡＣＨ（ランダムアクセスチャネル（Random Access Channel））、ＲＥＱＣＨ（要求チャネル（Request Channel））、ＵＬ−ＳＤＣＨ（アップリンク共有データチャネル（Uplink Shared Data Channel））、および複数のＰＨＹチャネルを備える。ＰＨＹチャネルは、ＤＬチャネルとＵＬチャネルのセットを備える。
【００６８】
ＤＬ  ＰＨＹチャネルは、以下を備える。すなわち、
ＣＰＩＣＨ（共通パイロットチャネル（Common Pilot Channel））
ＳＣＨ（同期チャネル（Synchronization Channel））
ＣＣＣＨ（共通制御チャネル（Common Control Channel））
ＳＤＣＣＨ（共有ＤＬ制御チャネル（Shared DL Control Channel））
ＭＣＣＨ（マルチキャスト制御チャネル（Multicast Control Channel））
ＳＵＡＣＨ（共有ＵＬ割当てチャネル（Shared UL Assignment Channel））
ＡＣＫＣＨ（肯定応答チャネル（Acknowledgement Channel））
ＤＬ−ＰＳＤＣＨ（ＤＬ物理共通データチャネル（DL Physical Shared Data Channel））
ＵＰＣＣＨ（ＵＬ電力制御チャネル（UL Power Control Channel））
ＰＩＣＨ（ページング指標チャネル（Paging Indicator Channel））
ＬＩＣＨ（負荷指標チャネル（Load Indicator Channel））
ＵＬ  ＰＨＹチャネル（UL PHY Channels）は、以下を備える。すなわち、
ＰＲＡＣＨ（物理ランダムアクセスチャネル（Physical Random Access Channel））
ＣＱＩＣＨ（チャネル品質指標チャネル（Channel Quality Indicator Channel））
ＡＣＫＣＨ（肯定応答チャネル（Acknowledgement Channel））
ＡＳＩＣＨ（アンテナサブセット指標チャネル（Antenna Subset Indicator Channel））
ＳＲＥＱＣＨ（共有要求チャネル（Shared Request Channel））
ＵＬ−ＰＳＤＣＨ（ＵＬ物理共有データチャネル（UL Physical Shared Data Channel））
ＢＰＩＣＨ（ブロードバンドパイロットチャネル（Broadband Pilot Channel））
図１１は、フレームワークが、接続モードにおいて不連続動作（例えば、ＤＲＸ）をしている間のＵＥによる測定を開始することを可能にする特定のシステム１１００を示す。そのようなフレームワークは、サービングセルの品質が、ネットワークによって構成された所定の品質しきい値を表す、S_Intrasearchパラメータというしきい値を下回って低下した際に、ＵＥが、測定状態に自律的に（例えば、ネットワークからの命令とは無関係に）入ること、およびネットワークに関する測定レポートを生成することを可能にする。
【００６９】
システム１１００は、ＵＥに関連することが可能であり、さらにソースｅＮＢからターゲットｅＮＢへのハンドオーバ、および／または他の周波数、もしくは他の無線アクセス網の測定に関する測定ギャップをトリガすることに関連して、互いに通信することができるコンポーネントのグループ１１０２を含む。また、グループ１１０２は、サービングセルに関するＱｏＳが、所定のS_Intrasearchパラメータを下回って低下しているかどうかを検証するための電気的コンポーネント１１０６も含む。さらに、電気的コンポーネント１１０８が、ＵＥが不連続動作（例えば、ＤＲＸ）に入ったり、そのような動作から抜けたりするように切り換わることを可能にする。前段で説明されるとおり、ＵＥが、ＤＲＸモードにある場合、測定サンプルを獲得する機会は、限られたままであり、このため、ＵＥは、適切で、正確な測定評価（例えば、現在のセル、セル内周波数、セル間周波数に関する）を容易に実行することができない。このため、一態様では、本発明は、ＤＲＸモードにおけるＵＥの動作を活用し、測定ギャップの割当てを減らす。さらに、ＵＥは、ＵＥのＤＲＸパターンからの「ナチュラルギャップ」を使用することによって、周波数間測定および／またはＲＡＴ間測定を自律的に実行することを、そのようなギャップが測定を実行するのに適切である場合に、可能にされる。さらに、様々な態様は、ネットワークが、ＵＥに関して、或る特定の測定（例えば、周波数間、周波数内、サービングセクタの現在の周波数など）をトリガするようにＵＥにより使用されることが可能な測定イベントと関係する情報、ＵＥによって獲得される測定のタイプと関係する情報、およびネットワークへの生成されたレポートの伝送と関係する情報を指定することを可能にする。図示されるとおり、電気的コンポーネント１１０４が、物理層から測定して、現在の周波数に関するＵＥによる測定評価を生成することを可能にする。
【００７０】
本書に関して、以下の略語が適用される。すなわち、
ＡＭ  肯定応答モード（Acknowledged Mode）
ＡＭＤ  肯定応答モードデータ（Acknowledged Mode Data）
ＡＲＱ  自動再送要求（Automatic Repeat Request）
ＢＣＣＨ  ブロードキャスト制御チャネル（Broadcast Control CHannel）
ＢＣＨ  ブロードキャストチャネル（Broadcast CHannel）
Ｃ−  制御−（Control-）
ＣＣＣＨ  共通制御チャネル（Common Control CHannel）
ＣＣＨ  制御チャネル（Control CHannel）
ＣＣＴｒＣＨ  符号化複合トランスポートチャネル（Coded Composite Transport Channel）
ＣＰ  サイクリックプレフィックス（Cyclic Prefix）
ＣＲＣ  巡回冗長検査（Cyclic Redundancy Check）
ＣＴＣＨ  共通トラヒックチャネル（Common Traffic CHannel）
ＤＣＣＨ  専用制御チャネル（Dedicated Control CHannel）
ＤＣＨ  専用チャネル（Dedicated CHannel）
ＤＬ  ダウンリンク（DownLink）
ＤＳＣＨ  ダウンリンク共有チャネル（Downlink Shared CHannel）
ＤＴＣＨ  専用トラヒックチャネル（Dedicated Traffic CHannel）
ＦＡＣＨ  順方向リンクアクセスチャネル（Forward link Access CHannel）
ＦＤＤ  周波数分割複信（Frequency Division Duplex）
Ｌ１  レイヤ１（Layer 1）（物理層）
Ｌ２  レイヤ２（Layer 2）（データリンク層）
Ｌ３  レイヤ３（Layer 3）（ネットワーク層）
ＬＩ  長さ指標（Length Indicator）
ＬＳＢ  最下位ビット（Least Significant Bit）
ＭＡＣ  媒体アクセス制御（Medium Access Control）
ＭＢＭＳ  マルチメディアブロードキャストマルチキャストサービス（Multmedia Broadcast Multicast Service）
ＭＣＣＨ  ＭＢＭＳポイントツーマルチポイント制御チャネル（MBMS point-to-multipoint Control CHannel）
ＭＲＷ  受信窓移動（Move Receiving Window）
ＭＳＢ  最上位ビット（Most Significant Bit）
ＭＳＣＨ  ＭＢＭＳポイントツーマルチポイントスケジューリングチャネル（MBMS point-to-multipoint Scheduling CHannel）
ＭＴＣＨ  ＭＢＭＳポイントツーマルチポイントトラヒックチャネル（MBMS point-to-multipoint Traffic CHannel）
ＰＣＣＨ  ページング制御チャネル（Paging Control CHannel）
ＰＣＨ  ページングチャネル（Paging CHannel）
ＰＤＵ  プロトコルデータユニット（Protocol Data Unit）
ＰＨＹ  物理層（PHYsical layer）
ＰｈｙＣＨ  物理チャネル（Physical CHannels）
ＲＡＣＨ  ランダムアクセスチャネル（Random Access CHannel）
ＲＬＣ  無線リンク制御（Radio Link Control）
ＲＲＣ  無線リソース制御（Radio Resource Control）
ＳＡＰ  サービスアクセスポイント（Service Access Point）
ＳＤＵ  サービスデータユニット（Service Data Unit）
ＳＨＣＣＨ  共有チャネル制御チャネル（SHared channel Control CHannel）
ＳＮ  シーケンスナンバ（Sequence Number）
ＳＵＦＩ  スーパーフィールド（SUper FIeld）
ＴＣＨ  トラヒックチャネル（Traffic CHannel）
ＴＤＤ  時分割複信（Time Division Duplex）
ＴＦＩ  トランスポートフォーマット指標（Transport Format Indicator）
ＴＭ  トランスペアレントモード（Transparent Mode）
ＴＭＤ  トランスペアレントモードデータ（Transparent Mode Data）
ＴＴＩ  伝送時間間隔（Transmission Time Interval）
Ｕ−  ユーザ−（User-）
ＵＥ  ユーザ機器（User Equipment）
ＵＬ  アップリンク（UpLink）
ＵＭ  肯定応答なしのモード（Unacknowledged Mode）
ＵＭＤ  肯定応答なしのモードのデータ（Unacknowledged Mode Data）
ＵＭＴＳ  ユニバーサルモバイルテレコミュニケーションシステム（Universal Mobile T
elecommunications System）
ＵＴＲＡ  ＵＭＴＳ地上無線アクセス（UMTS Terrestrial Radio Access）
ＵＴＲＡＮ  ＵＭＴＳ地上無線アクセス網（UMTS Terrestrial Radio Access Network）
ＭＢＳＦＮ  マルチキャストブロードキャスト単一周波数網（multicast broadcast sing
le frequency network）
ＭＣＥ  ＭＢＭＳ調整エンティティ（MBMS coordinating entity）
ＭＣＨ  マルチキャストチャネル（multicast channel）
ＤＬ−ＳＣＨ  ダウンリンク共有チャネル（downlink shared channel）
ＭＳＣＨ  ＭＢＭＳ制御チャネル（MBMS control channel）
ＰＤＣＣＨ  物理ダウンリンク制御チャネル（physical downlink control channel）
ＰＤＳＣＨ  物理ダウンリンク共有チャネル（physical downlink shared channel）
以上に説明してきたことは、１つまたは複数の実施形態の実施例を含む。もちろん、前述の実施形態を説明する目的でコンポーネントまたは方法の考え得るすべての組合せを説明することは可能ではないが、様々な実施形態の多数のさらなる組合せおよび置換が可能であることが、当業者には認識され得る。したがって、説明される実施形態は、添付の特許請求の範囲の趣旨および範囲に含まれるすべてのそのような変更、変形、および変種を包含することを意図している。さらに、「含む（include）」という用語が、詳細な説明、または特許請求の範囲において使用される限りにおいて、そのような用語は、「備える（comprising）」という用語が、特許請求の範囲におけるつなぎの語として使用される場合に解釈される際の、「備える」と同様に包含的であることを意図している。
以下に、本願出願の当初の特許請求の範囲に記載された発明を付記する。  
（１）  ＵＥによる測定レポートを開始する方法であって、
ＵＥをＤＲＸ不連続動作に移す（placing）ことと、
サービングセルの品質が、S_Intrasearchパラメータというしきい値を下回って低下した際に、前記ＵＥによる物理層からサンプルを獲得する連続的な測定を開始することと、
を備える方法。
（２）  前記連続的な測定に基づいて、現在の周波数の測定評価を作成することをさらに備える請求項（１）に記載の方法。
（３）  測定ギャップの割当てのために前記ＵＥに関連するネットワークに前記測定評価を送信することをさらに備える（２）に記載の方法。
（４）  前記測定評価に基づいて、ハンドオフをトリガすることをさらに備える（２）に記載の方法。
（５）  周波数間測定またはＲＡＴ間測定を測定することをさらに備える（２）に記載の方法。
（６）  ネットワークに送信するための測定レポートを生成することをさらに備える（２）に記載の方法。
（７）  前記ＵＥによって前記周波数間またはＲＡＴ間を自律的に開始することをさらに備える（１）に記載の方法。
（８）  セル品質が、しきい値を下回って低下した際に、周波数間測定またはＲＡＴ（無線アクセス技術）間測定を開始することをさらに備える（７）に記載の方法。
（９）  前記移す動作を促進するようにスリープモードコントローラを実施することをさらに備える（１）に記載の方法。
（１０）  前記移す動作は、ＣＱＩ属性に基づく（１）に記載の方法。
（１１）  ＵＥをＤＲＸ不連続動作に切り換え、
サービングセルの品質が、所定のしきい値を下回って低下した際に、前記ＵＥによる連続的な測定を開始し、
前記連続的な測定に基づいて、現在の周波数の測定評価を作成する、
ように構成された少なくとも１つのプロセッサ、
を備える無線通信装置。
（１２）  前記少なくとも１つのプロセッサは、ネットワークに前記測定評価を送信することを介して、測定ギャップの生成を促進するようにさらに構成される（１１）に記載の無線通信装置。
（１３）  前記少なくとも１つのプロセッサは、周波数間測定またはＲＡＴ間測定を測定するようにさらに構成される（１１）に記載の無線通信装置。
（１４）  前記少なくとも１つのプロセッサは、ＣＱＩ属性に基づいて、前記ＤＲＸ不連続動作に切り換わるようにさらに構成される（１１）に記載の無線通信装置。
（１５）  前記少なくとも１つのプロセッサは、測定評価に基づいて、ハンドオフをトリガするようにさらに構成される（１１）に記載の無線通信装置。
（１６）  前記少なくとも１つのプロセッサは、前記測定評価に基づいて、ハンドオフをトリガするようにさらに構成される（１１）に記載の無線通信装置。
（１７）  前記少なくとも１つのプロセッサは、ネットワークに送信するための測定レポートを生成するようにさらに構成される（１１）に記載の無線通信装置。
（１８）  ＵＥをＤＲＸ連続動作に切り換えるための手段と、
サービングセルの品質が、所定のしきい値パラメータを下回って低下した際に、前記ＵＥによる物理層からサンプルを獲得する連続的な測定を開始するための手段と、
を備えるＤＲＸモードＵＥの測定動作を管理するための無線通信装置。
（１９）  前記連続的な測定に基づいて、現在の周波数の測定評価を作成するための手段をさらに備える（１８）に記載の無線通信システム。
（２０）  測定ギャップの割当てのために前記ＵＥに関連するネットワークに測定評価を送信するための手段をさらに備える（１８）に記載の無線通信システム。
（２１）  周波数間測定またはＲＡＴ間測定を測定するための手段をさらに備える（１８に記載の無線通信システム。
（２２）  少なくとも１つのコンピュータに、ＵＥをＤＲＸ不連続動作に移させるためのコードと、
サービングセルの品質が、S_Intrasearchパラメータというしきい値を下回って低下した際に、前記ＵＥによる物理層からサンプルを獲得する連続的な測定を開始するためのコードと、
を備えるコンピュータ可読媒体、
を備えるコンピュータプログラム製品。
（２３）  前記コンピュータ可読媒体は、前記測定評価に基づいて、ハンドオフをトリガするためのコードをさらに備える（２２）に記載のコンピュータプログラム製品。
（２４）  前記コンピュータ可読媒体は、ネットワークに送信するための測定レポートを生成するためのコードをさらに備える（２２）に記載のコンピュータプログラム製品。
（２５）  ＵＥに関連するサービングセルの品質が、所定のしきい値を下回って低下した際に、該ＵＥのＤＲＸ不連続動作において生成される測定レポートをネットワークによって受信することと、
前記ネットワークによって前記ＵＥにギャップ割当てを供給して、該供給によって周波数内測定を促進することと、
を備えるＤＲＸモードＵＥの測定動作を管理する方法。
（２６）  前記所定のしきい値は、前記ネットワークによって構成されたS_Intrasearchパラメータである（２５）に記載の方法。
（２７）  前記測定レポートは、前記ＵＥによる連続的な測定に基づいて生成される（２５）に記載の方法。
（２８）  前記ＵＥは、前記ＤＲＸ不連続動作に入ったり、該動作から抜けたりするように切り換わるスリープモードコントローラを実施する（２５）に記載の方法。
（２９）  前記ＵＥは、ＣＱＩ属性に基づいて、前記ＤＲＸ不連続動作に切り換えられる（２５）に記載の方法。
（３０）  ＵＥに関連するサービングセルの品質が、所定のしきい値を下回って低下した際に、該ＵＥのＤＲＸ不連続動作において生成される測定レポートをネットワークによって受信し、
前記ネットワークによって前記ＵＥにギャップ割当てを供給して、該供給によって周波数内測定を促進する、
ように構成された少なくとも１つのプロセッサ、
を備える無線通信装置。
（３１）  前記所定のしきい値は、前記ネットワークによって設定される（３０）に記載の無線通信装置。
（３２）  前記測定レポートは、前記ＵＥを介して連続的な測定によって形成される（３０）に記載の無線通信装置。
（３３）  ＵＥに関連するサービングセルの品質が、所定のしきい値を下回って低下した際に、該ＵＥのＤＲＸ不連続動作において生成される測定レポートをネットワークによって受信するためのコードと、
前記ネットワークによって前記ＵＥにギャップ割当てを供給して、該供給によって周波数内測定を可能にするためのコードと、
を備えるコンピュータ可読媒体、
を備えるコンピュータプログラム製品。
（３４）  前記所定のしきい値は、前記ネットワークによって設定されたS_Intrasearchパラメータである（３３）に記載のコンピュータプログラム製品。
（３５）  前記ＵＥは、スリープモードコントローラを介して前記ＤＲＸ不連続に切り換え可能である（３３）に記載のコンピュータプログラム製品。
【図１】
0005524065.tif 000002
【図２】
0005524065.tif 000003
【図３】
0005524065.tif 000004
【図４】
0005524065.tif 000005
【図５】
0005524065.tif 000006
【図６】
0005524065.tif 000007
【図７】
0005524065.tif 000008
【図８】
0005524065.tif 000009
【図９】
0005524065.tif 000010
【図１０】
0005524065.tif 000011
【図１１】
0005524065.tif 000012